(57)【要約】      （修正有）【課題】移植機の予備苗載台支柱を取付部材として、操縦部の上方を覆うフードの設置を簡潔な構成によって行うと共に、前部ステップを利用して行う乗降並びに苗補給作業時の移動を妨げることのない移植機を提供する。【解決手段】植付装置を備える走行機体２に、操縦部の操作パネルの側方下部に形成される前部ステップ４ｄの外方に予備苗載台７,８を立設した移植機１であって、前記操縦部の上方を覆うフード１０を設置するに、前部ステップ４ｄの外方に立設される予備苗載台７,８の予備苗載台支柱１１，１２の支柱内方に、フード１０のフードステー１３，１４の下部を取付ける構成にした。【選択図】図３
2013021984.tif 000002
【特許請求の範囲】
【請求項１】
植付装置（６）を備える走行機体（２）に、操縦部（４）の操作パネル（３ａ）の側方下部に形成される前部ステップ（４ｄ）の外方に予備苗載台（７），（８）を立設した移植機（１）において、前記操縦部（４）の上方を覆うフード（１０）を設置するに、前部ステップ（４ｄ）の外方に立設される予備苗載台（７），（８）の予備苗載台支柱（１１），（１２）の支柱内方に、フード（１０）のフードステー（１３），（１４）の下部を取付けることを特徴とする移植機。
【請求項２】
予備苗載台支柱（１１），（１２）の上部外方に苗搬送台（７）又は苗載置台（８）を取付け、且つ該予備苗載台支柱（１１），（１２）の前部支柱（１１ａ），（１２ａ）と後部支柱（１１ｂ），（１２ｂ）のそれぞれ中途部を、前後方向の支柱横フレーム（２６）によって連結し、該支柱横フレーム（２６）にフードステー（１３），（１４）の下部を取付ける請求項１記載の移植機。
【請求項３】
予備苗載台支柱（１１），（１２）の支柱横フレーム（２６）と、苗搬送台（７）又は苗載置台（８）の下方における予備苗載台支柱（１１），（１２）の外方で、走行機体（３）から立設されて肥料タンク（９）を取付けるタンク支持枠（２７）とを接続する請求項１又は２記載の移植機。
【発明の詳細な説明】
【技術分野】
【０００１】
本発明は、操縦部にフードを設置する移植機に関する。
【背景技術】
【０００２】
従来、植付装置を備えた走行機体に、予備苗載台を操縦部の前方でボンネットの側方に形成される前部ステップの外方に立設すると共に、操縦部をフードによって覆うようにした移植機は既に公知である（例えば特許文献１。）。
上記移植機は、フード（屋根）のフードステー（屋根支持フレーム）を、前部ステップ（ステップ部）の床面からボンネットの両側面に沿わせて立設することにより、フードを設置している。
【先行技術文献】
【特許文献】
【０００３】
【特許文献１】特開２００１―２２４２０８号公報
【発明の概要】
【発明が解決しようとする課題】
【０００４】
上記特許文献１に示される移植機は、前部ステップの床面側に貫通させた複数の取付孔に対し、フードステーの下端に設けた取付板をボルト固定することにより、フードステーをボンネットの外方に沿わせて立設している。このため上記移植機は、オペレータが乗降並びに苗補給作業を前部ステップを利用して行う際に、ボンネットの外方に立設されるフードステーが前部ステップ上に突出して通路空間を狭めるため、オペレータの足元の邪魔になりスムーズな移動を妨げること、またボンネット後部の操作パネルの直前に近接して立設されるフードステーがオペレータの前方視界を妨げる等の欠点がある。さらに、上記フードの設置構造は長いフードステーの下端を強固に支持するうえで、予め取付床面の構成を頑丈な剛体構造にしておく必要があると共に、取付床面に対し複数のボルト孔を貫通させる孔あけ加工をしておかねばならず、構造が煩雑化しコスト高になる等の課題がある。
【課題を解決するための手段】
【０００５】
本発明は係る課題を解決するために、第１に、植付装置６を備える走行機体２に、操縦部４の操作パネル３ａの側方下部に形成される前部ステップ４ｄの外方に予備苗載台７,８を立設した移植機１において、前記操縦部４の上方を覆うフード１０を設置するに、前部ステップ４ｄの外方に立設される予備苗載台７,８の予備苗載台支柱１１，１２の支柱内方に、フード１０のフードステー１３，１４の下部を取付けることを特徴としている。
【０００６】
第２に、予備苗載台支柱１１，１２の上部外方に苗搬送台７又は苗載置台８を取付け、且つ該予備苗載台支柱１１，１２の前部支柱１１ａ，１２ａと後部支柱１１ｂ，１２ｂのそれぞれ中途部を、前後方向の支柱横フレーム２６によって連結し、該支柱横フレーム２６にフードステー１３，１４の下部を取付けることを特徴としている。
【０００７】
第３に、予備苗載台支柱１１，１２の支柱横フレーム２６と、苗搬送台７又は苗載置台８の下方における予備苗載台支柱１１，１２の外方で、走行機体３から立設されて肥料タンク９を取付けるタンク支持枠２７とを接続することを特徴としている。
【発明の効果】
【０００８】
請求項１の発明によれば、操縦部の上方にフードを設置するとき、前部ステップの外方から立設される予備苗載台の予備苗載台支柱の支柱内方に対し、フードのフードステーの下部を取付けることにより、フードステーは予備苗載台支柱に近接支持されるので、前部ステップを利用して行う乗降並びに苗補給作業時の移動を妨げることがない。またフードステーは、移植機に既設の予備苗載台支柱を取付部材として兼用するので、機体を大きく改造することなくフードの設置を簡単に行うことができる。
【０００９】
請求項２の発明によれば、予備苗載台支柱の上部外方に苗搬送台又は苗載置台を取付け、且つ前部支柱と後部支柱のそれぞれ中途部を、支柱横フレームによって前後方向に連結し、該支柱横フレームにフードステーの下部を取付けることにより、フードステーを予備苗載台支柱の内方に沿わせた状態で、ステー下部を操縦ステップ又は前部ステップの床面から離間させて立設することができるので、足元側スペースを確保してオペレータが操縦並びに乗降移動する際に足元の邪魔になることなくフードを設置することができる。
【００１０】
請求項３の発明によれば、予備苗載台支柱の支柱横フレームと、苗搬送台又は苗載置台の下方における予備苗載台支柱の外方で、走行機体から立設される肥料タンク取付け用のタンク支持枠とを接続することにより、タンク支持枠によって取付剛性を高めた予備苗載台支柱に対し、フードステーを支柱横フレームを介して簡単且つ安定よく取付支持することができる。
【図面の簡単な説明】
【００１１】
【図１】本発明の実施形態に係る移植機の平面図である。
【図２】移植機の側面図である。
【図３】移植機の予備苗載台及びフードの設置構造を示す正面図である。
【図４】図３の左側面図である。
【図５】図３の右側面図である。
【図６】図５の要部の構成を示す拡大図である。
【発明を実施するための形態】
【００１２】
本発明の一実施形態を図面に基づいて説明する。図面において符号１は移植機（乗用田植機）であって、前輪１ａと後輪１ｂを左右に有する走行機体２の前側にエンジンを搭載してボンネット３で覆い、後方にハンドル４ａ及び座席４ｂ並びに操縦ステップ４ｃ等からなる操縦部４を配置し、機体後部に構成される３点リンク方式の昇降機構５に植付装置６を装着している。
この移植機１は、苗箱やスクレーパ等の苗トレーに収容されたマット苗（予備苗）を畔から機体後部に補給するための予備苗載台としての苗搬送台７と苗載置台８とを、機体前部に構成される機体フレーム２ａの両外方寄りに備え、且つボンネット３の左右下部に操縦ステップ４ｃに通ずる前部ステップ４ｄを形成している。またボンネット３の後部上方には、各種の操作レバーやスイッチ他計器類を備える操作パネル３ａが配置されている。
【００１３】
上記苗搬送台７と苗載置台８の下方には、肥料タンク９をタンク支持構造を介して搭載できるようにしており、肥料タンク９内に収容されるペースト肥料は肥料ポンプを介して施肥ノズル９ａから圃場に供給（施肥）される。尚、実施形態の移植機１は、苗搬送台７側にだけ肥料タンク９を搭載し苗載置台８側への肥料タンク９の搭載を省略した例を示している。
【００１４】
肥料タンク９は、フラットな上面に備えるタンク蓋９ａを後部の回動支点を中心に前方から後方に向けて回動すると、肥料供給口を開放してペースト状の肥料を供給することができる。
そして、移植機１は操縦部４の上方を覆うフード１０を、苗搬送台７と苗載置台８との各予備苗載台支柱１１,１２の支柱構造を利用し、左右のフードステー１３,１４を後述するフード取付構造により安定よく設置するようにしている。
【００１５】
以下各部の構成について詳述する。図示する植付装置６は、６条分の予備苗を左右並列状に載置する苗載台６ａを前高後低状に傾斜させて設けており、該苗載台６ａの下端部において植付爪６ｂによって１株毎の苗を掻取って苗を圃場に植付けることができる。また苗載台６ａに対する予備苗の補給作業は、畔側から行う場合には走行機体２の前部を畔に向けて接近させた状態で、伸展させた苗搬送台７の前端部に予備苗を載置する動作によって行う。
【００１６】
先ず、図１〜図４を参照し苗搬送台７について説明する。この苗搬送台７は、梯子状に枠組みされたコンベアフレーム１５に、複数の搬送ローラ１６を搬送方向に並設したローラコンベア方式としている。そして、苗搬送台７は走行機体２の前部左外方寄りに設けるに当たり、前方を高くし後方がやや低くなるように後傾斜状にしている。これにより苗搬送台７は、畦側から補助作業者によって数箱分の予備苗を供給載置することができ、ローラ１６上を転動させて後端に到達させる。
【００１７】
図示例の苗搬送台７は、コンベアユニットを前後方向に略等しく３分割形成しており、前後に配設される前側コンベア７ａと後側コンベア７ｂとを、中側コンベア７ｃに対しヒンジ部７ｄを介し上方側に折畳み回動自在に接続している。これにより苗搬送台７は苗を供給する図示の搬送姿勢から、後側コンベア７ｂをヒンジ部７ｄを支点に折畳み、次いで前側コンベア７ａを折畳み、両者を中側コンベア７ｃの上に重ねた格納姿勢にすることができる。
【００１８】
そして、苗搬送台７は中側コンベア７ｃを、肥料タンク９の内方寄りで機体フレーム２ａから上方に向けて立設される、下向きＵ字状のループ形状のパイプ材からなる予備苗載台支柱１１に後述する苗搬送台取付構造によって取付けている。これにより移植機１は、苗搬送台７を機体の直進方向に沿う標準姿勢と、進行方向に対し左または右に回動させた斜向姿勢（水平回動姿勢）とに切換自在としている。
即ち、苗搬送台取付構造は図４に示すように、前記予備苗載台支柱１１の前部支柱１１ａと後部支柱１１ｂの基部を、機体フレーム２ａの前側下部ブラケット２１と後方側ブラケット２１ａとに着脱自在に取付けている。
【００１９】
上記予備苗載台支柱１１は、操作パネル３ａの側方近傍に位置する後部支柱１１ｂの上方部位に、中側コンベア７ｃを軸支して水平方向に回動自在とする軸支部２２を設けている。中側コンベア７ｃは、コンベアフレーム１５の下部に突設した複数のブラケット２３ａを介し苗搬送台ステー２３を前後方向に取付けており、該苗搬送台ステー２３の後部を切換レバー２４を備える回動切換機構２５を介して軸支部２２に回動自在に軸装している。これにより苗載置台８は、切換レバー２４を操作することにより回動切換機構２５内のロック機構を係脱し、中側コンベア７ｃを介して予備苗搬送方向を自在に選択することができる。
【００２０】
上記構成において予備苗載台支柱１１は、後部支柱１１ｂの中途を前方に屈曲させてブラケット２１ａを前方側に位置させることにより、操縦ステップ４ｃ上で足元が位置する足元側スペースを広くするようにしている。また予備苗載台支柱１１の前部支柱１１ａと後部支柱１１ｂの中途を、横支柱フレーム２６によって前後方向に連結することにより前後方向の取付剛性を高めている。そして、横支柱フレーム２６に肥料タンク９を取付けるタンク支持枠２７を接続させることにより、予備苗載台支柱１１の横方向の取付剛性を高めている。
【００２１】
上記タンク支持枠２７は、下向きコ字状に形成される前後支柱の基部を、機体フレーム２ａから側方に突設させたタンク支持フレーム２８に取付けて立設しており、タンク支持枠２７の側部に肥料タンク９の側面を着脱可能に取付けている。そして、タンク支持枠２７の支柱横部に内向きに突設させた取付部材２９を、前記支柱横フレーム２６の上面に重ねた状態で両者をボルト３１によって接続する構造にしている。
【００２２】
一方、フード１０の上部左右を取付支持するフードステー１３，１４は、ステー中途から下部側を前方に向けて屈曲させることにより横ステー部１３ａ,１４ａを形成しており、該横ステー部１３ａ,１４ａに取付補強用の取付座３２を外向きに突設し、且つ上下方向の縦ステー部１３ｂ,１４ｂの中途に取付片３３を前側に向けて突設している。
【００２３】
この構成において図３で示すように左側のフードステー１３は、横ステー部１３ａに設けた取付座３２を、左側タンク支持枠２７に接続させた横支柱フレーム２６に下方から接当させた状態で、前記ボルト３１によって共締めをすると共に、取付片３３を縦ステー部１３ｂにＵボルト３４によって締着する。これによりフードステー１３は、取付座３２と取付片３３とを予備苗載台支柱１１の横支柱フレーム２６と縦ステー部１３ｂとに取付けるので、前後及び左右の振れを防止しながら予備苗載台支柱１１に簡単且つ強固に取付支持することができる。
【００２４】
また横ステー部１３ａを横支柱フレーム２６に取付けた状態で、縦ステー部１３ｂを後部支柱１１ｂに近接させて取付けているので、フードステー１３の下部（横ステー部１３ａ）は操縦ステップ４ｃより高さＨだけ離間すること、及び後方に大きく突出することなく操縦ステップ４ｃの足元側スペースを広くして支持され、前部ステップ４ｄを歩行中の足の引っ掛かりを防止することができる。
従って、この構成によって取付けられるフードステー１３は、全長を短くすることができると共に、その下部が足元側から離れており運転の邪魔をしないので、オペレータの操縦性に支障を生じさせない。
【００２５】
そして、フードステー１３は、前部ステップ４ｄの外方で予備苗載台支柱１１の内方に近接させて取付け立設していることにより、オペレータが前部ステップ４ｄを利用して乗降及び苗補給作業をする際の移動を妨げることなく、また座席４ｂからの前方視界を妨げないものである。さらに上記構成によりフードステー１３は、移植機１に既設の予備苗載台支柱１１を利用して取付けることができるので、既存の移植機１に対しても機体の大きな改造を要することなく、後付け作業によってもフード１０の設置を簡単に行うことができる等の特徴がある。
【００２６】
次に、図２,図３,図５,図６を参照し苗載置台８について説明する。尚、前記苗搬送台７と同様な構成及び作用については説明を省略する。この苗載置台８の予備苗載台支柱１２は側面視で下向きＵ字状のループ形状にしており、前部支柱１２ａと後部支柱１２ｂとを、前記予備苗載台支柱１１と同様な取付構造によって、機体フレーム２ａの右側外方寄りに取付けて立設している。そして、予備苗載台支柱１２は、前部支柱１２ａと後部支柱１２ｂとの中途部を、前記予備苗載台支柱１１のものと同高さ位置となし、横支柱フレーム２６によって連結することにより前後方向の取付剛性を高めている。
【００２７】
右側の肥料タンク９を取付けるタンク支持枠２７は、前記左側のものと同様な形状及び構成によって機体フレーム２ａの対称位置に立設しており、且つ上部の横枠部から内向きに突設した取付部材２９を支柱横フレーム２６の上面に重ね、ボルト３１によって接続し予備苗載台支柱１２の横方向の取付剛性を高めている。
そして、予備苗載台支柱１２は、予備苗を載置する複数の予備苗載板３６を、所定の間隔を有して肥料タンク９の設置スペース上方に外方に向けて突設している。
【００２８】
上記構成において右側のフードステー１４は、左側のフードステー１３と対称形状をなしており、横ステー部１４ａに設けた取付座３２を、支柱横フレーム２６に下方から接当させた状態でボルト３１によって共締めすると共に、縦ステー部１４ｂに突設した取付片３３を予備苗載台支柱１２に設けた補助支柱横フレーム２６ａに接続することにより、左側のフードステー１３と対称位置に立設している。
【００２９】
上記補助支柱横フレーム２６ａはアングル部材からなり、支柱横フレーム２６と最下段の予備苗載板３６との間において、前部支柱１２ａと後部支柱１２ｂに対しＵボルト３７とボルト３８によって着脱自在に取付けられ、且つ取付け状態で後方の突出端部に、前記取付片３３をボルト３９によって接続することにより、フードステー１４の縦ステー部１４ｂを補強支持するようにしている。従って、フードステー１４も前部ステップ４ｄの外方で予備苗載台支柱１２の内方に近接させて取付けて立設しているので、オペレータが前部ステップ４ｄを利用して乗降したり苗補給作業をする際の移動、及び操縦部６からの前方視界等を妨げない。さらにフードステー１４は、移植機１に既設の予備苗載台支柱１２を利用して取付けるので、フード１０の設置を既存の移植機１に対しても後付け作業によって簡単且つ安定よく取付けることができる。
【００３０】
次に以上のように構成した移植機１による移植作業及び苗の補給作業等について説明する。先ずオペレータは、苗載台６ａ及び苗搬送台７,苗載置台８に予備苗を充填載置すると共に、肥料タンク９に肥料を満タンにした状態において作業を開始する。これにより移植機１は、植付爪６ｂによって１株毎の苗の掻取りを圃場に植付けると共に、同時に肥料タンク９に貯留されたペースト肥料を施肥ノズル９ａから施肥をする。次いで、作業に伴い苗載台６ａに載置された予備苗が少なくなると、各苗搬送台７,苗載置台８に載せてある予備苗を順次苗載台６ａに供給することによって連続した移植作業を行う。
【００３１】
このようにして移植作業を行う移植機１は、操縦部４にフード１０を設置するとき、前部ステップ４ｄの外方から立設される予備苗載台７,８の予備苗載台支柱１１，１２の支柱内方に対し、フードステー１３，１４を近接させて前部ステップ４ｄに大きく突出することなく取付けるため、前部ステップ４ｄを利用して行う乗降並びに苗補給作業時のオペレータの移動や作業を妨げることなくスムーズに行うことができる。
またフードステー１３，１４は、移植機１に既設の予備苗載台支柱１１，１２を取付部材として兼用するので、機体床面側の補強改造やフードステー１３,１４を徒に長く太くすることなく、簡潔で廉価な取付構造によってフード１０の設置を容易にし操縦部６を覆うことができる。
【００３２】
この際に、予備苗載台支柱１１，１２は、前部支柱１１ａ，１２ａと後部支柱１１ｂ,１２ｂとの中途部を支柱横フレーム２６によって前後方向に連結し、該支柱横フレーム２６にフードステー１３，１４の下部を取付けることが望ましく、この場合には、フードステー１３，１４の下部を操縦ステップ４ｃ又は前部ステップ４ｄの床面から十分に離間させるため、オペレータの足元側スペースを広くして移動及び運転の容易化を図ることができる。さらに、上記支柱横フレーム２６と走行機体３から立設される肥料タンク９のタンク支持枠２７とを接続する場合には、支柱横フレーム２６及びタンク支持枠２７の接続を介して、フードステー１３，１４をより安定的に取付けることができる。
【００３３】
またフード１０を既述の取付構造によって設置した移植機１は、苗搬送台７の回動や肥料タンク９への肥料補給並びに前部ステップ４ｄを利用した乗降や苗補給等各種の作業を、何ら妨げることなく在来の移植機と同様にスムーズに行うことができる。
尚、フード１０は図２,図３,図５に示すように、フードステー１３，１４を上下に分割し、フード１０の左右に垂設する上部ステー１３ｃ，１４ｃを下部フードステー１３，１４のパイプ支柱内に挿入した状態で、ノブ付ボルト等の固定具を介してフード１０の高さを調節自在に設けてもよいものである。
【符号の説明】
【００３４】
１  移植機（乗用田植機）
２  走行機体
３  ボンネット
３ａ  操作パネル
４  操縦部
４ｄ  前部ステップ
６  植付装置
７  予備苗載台（苗搬送台）
８  予備苗載台（苗載置台）
９  肥料タンク
１０フード
１１,１２  予備苗載台支柱
１３,１４  フードステー
１１ａ,１２ａ  前部支柱
１１ｂ,１２ｂ  後部支柱
２６  支柱横フレーム
２７  タンク支持枠
【図１】
2013021984.tif 000003
【図２】
2013021984.tif 000004
【図３】
2013021984.tif 000005
【図４】
2013021984.tif 000006
【図５】
2013021984.tif 000007
【図６】
2013021984.tif 000008